(57)【要約】【課題】  太陽電池の裏面にて様々な理由で発生した水を内部に滞留することなく排出できる太陽電池一体型外装材、及びそれを用いた外装構造を提供する。【解決手段】  本発明の太陽電池一体型外装材１は、面板部６１と少なくとも長手方向に沿う縁部に成形部６２，６３を有し、面板部６１に太陽電池３の端子ボックス３１、ケーブル３２等の付帯具を挿通させるための開口部６４を設け、面板部６１の表面側に太陽電池３を一体的に固定し、前記開口部６４の裏面側に突出した付帯具を収納する空間を確保すると共に排水手段を有する受け部材４を配してなることを特徴とする。【選択図】  図１
2006016883.tif 000002
【特許請求の範囲】
【請求項１】
面板部と少なくとも長手方向に沿う縁部に成形部を有する太陽電池一体型外装材であって、面板部に太陽電池の端子ボックス、ケーブル等の付帯具を裏面側に突出させるための開口部を設け、面板部の表面側に太陽電池を一体的に固定し、前記開口部の裏面側に突出した付帯具を収納する空間を確保すると共に排水手段を有する受け部材を配してなることを特徴とする太陽電池一体型外装材。
【請求項２】
受け部材は、左右側縁及び水上側縁が立ち上げられ、開放状に形成した水下側縁が横葺き形式の外装材の軒側成形部に近接状であることを特徴とする請求項１に記載の太陽電池一体型外装材。
【請求項３】
受け部材は、水上側縁の立ち上げ部に配線用開放部が設けられていることを特徴とする請求項２に記載の太陽電池一体型外装材。
【請求項４】
受け部材は、水上側縁及び水下側縁が立ち上げられ、開放状に形成した左右側縁が縦葺き形式の外装材の側縁成形部に近接状であることを特徴とする請求項１に記載の太陽電池一体型外装材。
【請求項５】
受け部材は、太陽電池一体型外装材に一体的に取り付けられていることを特徴とする請求項１〜４の何れか一項に記載の太陽電池一体型外装材。
【請求項６】
外装材の面板部に太陽電池を一体的に固定した太陽電池一体型外装材を敷設してなる外装構造であって、
前記外装材は、面板部と少なくとも長手方向に沿う縁部に成形部を有し、面板部には太陽電池の端子ボックス、ケーブル等の付帯具を裏面側に突出させるための開口部を設け、
前記開口部の裏面側に突出した付帯具を収納する空間を確保すると共に排水手段を備える受け部材を配設させたことを特徴とする太陽電池一体型外装材を用いた外装構造。
【請求項７】
請求項２又は３に記載の太陽電池一体型外装材を敷設してなる外装構造であって、軒棟方向に隣接する外装材の組み付け状態において、開放状に形成した水下側縁が、下段側外装材の棟側成形部端より水下側に位置することを特徴とする太陽電池一体型外装材を用いた外装構造。
【請求項８】
請求項４に記載の太陽電池一体型外装材を敷設してなる外装構造であって、左右方向に隣接する外装材の組み付け状態において、受け部材の開放状に形成した左右側縁が、左右方向に隣接する外装材間に配された排水部材に連絡されていることを特徴とする太陽電池一体型外装材を用いた外装構造。
【請求項９】
受け部材は、太陽電池一体型外装材に一体的に取り付けられていることを特徴とする請求項６〜８の何れか一項に記載の太陽電池一体型外装材を用いた外装構造。
【発明の詳細な説明】
【技術分野】
【０００１】
本発明は、太陽電池の端子ボックス等から浸入した雨水を太陽電池の裏面側に滞留させることなく排出できる太陽電池一体型外装材、及びそれを用いた外装構造に関する。
【背景技術】
【０００２】
太陽電池一体型として外装材に太陽電池を貼り付け、太陽電池の周縁をシール材等で塞いだものが提案されている（例えば特許文献１等）。
詳細に説明すると、金属板の面板部に太陽電池の端子ボックスやケーブルを裏面側に出すための開口部を設けている。そして、太陽電池は金属板に対して接着等によって一体化され、太陽電池同士の隙間等にシール材（上記先願では伸縮シール材）が配されて開口部に雨水が回らないように止水されているものである。
【特許文献１】特開２０００−１７４３１２公報
【発明の開示】
【発明が解決しようとする課題】
【０００３】
しかし、「シール材」は、耐久性、耐候性を有するものを用いても、充填不良や経年劣化で止水性能が低下する。そのような場合、その箇所から太陽電池の裏面側（金属板の表面）に浸入した雨水や電池裏面に発生した結露水が、太陽電池に設けられた端子ボックスやケーブルの「孔」から金属板の裏面側に浸入し、雨漏りの原因となっている（シールによって「水」が堰き止められ逃げ場がない）。
そこで、本発明は、太陽電池の端子ボックス等から浸入した雨水を太陽電池の裏面側に滞留させることなく排出できる太陽電池一体型外装材及び外装構造を提供することを目的とする。
【課題を解決するための手段】
【０００４】
本発明は上記に鑑み提案されたもので、面板部と少なくとも長手方向に沿う縁部に成形部を有する太陽電池一体型外装材であって、面板部に太陽電池の端子ボックス、ケーブル等の付帯具を裏面側に突出させるための開口部を設け、面板部の表面側に太陽電池を一体的に固定し、前記開口部の裏面側に突出した付帯具を収納する空間を確保すると共に排水手段を備える受け部材を配してなることを特徴とする太陽電池一体型外装材、及びそれを用いた外装構造に関するものである。
尚、上記本発明における外装材は、縦葺き、横葺き等の公知の外装材であればよく、その長手方向とは、縦葺きの場合には左右側縁を指し、横葺きの場合には軒・棟の側縁を指す。
【０００５】
また、本発明は、受け部材は、左右側縁及び水上側縁が立ち上げられ、開放状に形成した水下側縁が横葺き形式の外装材の軒側成形部に近接状である前記太陽電池一体型外装材をも提案する。また、この太陽電池一体型外装材を敷設してなる外装構造であって、軒棟方向に隣接する外装材の組み付け状態において、開放状に形成された水下側縁が、下段側外装材の棟側成形部端より水下側に位置することを特徴とする太陽電池一体型外装材を用いた外装構造をも提案する。
上記太陽電池一体型外装材、外装構造において、受け部材は、水上側縁の立ち上げ部に配線用開放部を設けていることが好ましい。
【０００６】
さらに、本発明は、受け部材は、水上側縁及び水下側縁が立ち上げられ、左右側が開放状に形成され、左右側縁が縦葺き形式の外装材の左右成形部に近接状である前記太陽電池一体型外装材をも提案する。また、この太陽電池一体型外装材を敷設してなる外装構造であって、左右方向に隣接する外装材の組み付け状態において、開放状に形成された左右側縁が、左右方向に隣接する外装材間に配された排水部材に連絡されていることを特徴とする太陽電池一体型外装材を用いた外装構造をも提案する。
【０００７】
また、本発明は、受け部材は、太陽電池一体型外装材に一体的に取り付けられている前記太陽電池一体型外装材、及びこの太陽電池一体型外装材を敷設してなる外装構造をも提案する。
【発明の効果】
【０００８】
本発明の太陽電池一体型外装材、及びそれを用いた外装構造は、受け部材を設けることで端子ボックスから浸入した雨水を電池裏面に滞留させることなく排出できる。また、受け部材は、端子ボックスの裏面側を物理的に保護するので、端子ボックス内部の電気的機構が二重に（端子ボックス及び受け部材により）保護されることとなり、例えば施工前の管理や搬送などにおいて破損することがなく、施工時においても取扱いが容易となる。
そして、太陽電池に起因して生じた水が外装材の裏面に回り込んで雨漏りの原因となることがない外装構造を提供することができる。
【０００９】
また、受け部材の左右側縁及び水上側縁が立ち上げられ、開放状に形成した水下側縁が横葺き形式の外装材の軒側成形部に近接状である場合、敷設状態において、水下側縁が下段側外装材の棟側成形部端より水下側に位置するため、端子ボックス等から浸入した雨水を受け部材から、下段側の外装材上へ導いて排出することができる。
さらに、受け部材の水上側縁の立ち上げ部に配線用開放部を設けた場合、該開放部からケーブルを導出させることができる。
【００１０】
また、受け部材は、水上側縁及び水下側縁が立ち上げられ、開放状に形成した左右側縁が縦葺き形式の外装材の側縁成形部に近接状である場合、敷設状態において、左右側縁が、左右方向に隣接する外装材間に配された排水部材に連絡されるため、端子ボックス等から浸入した雨水を受け部材から排水部材へ導いて排出することができる。
【００１１】
さらに、受け部材は、太陽電池一体型外装材に一体的に取り付けられている場合、施工に際して受け部材の一体化（取り付け）作業が不要となるので、一般的な外装材と同様に敷設、施工することができる。
【発明を実施するための最良の形態】
【００１２】
受け部材は、左右側縁及び水上側縁が立ち上げられ、水下側が開放状に形成され、水上側縁の立ち上げ部に配線用開放部が設けられ、外装材には凹部が設けられ、該凹部に太陽電池を固定し、その際の外装材と太陽電池とは、耐水性を有する両面テープ又は接着剤で構成される接着層にて固定され、該接着層は、略矩形状に設けられ、その内部水下側には水抜き孔が設けられている。
【実施例１】
【００１３】
以下、本発明を図示実施例に基づいて説明する。
本発明に用いる太陽電池一体型外装材１は、外装材（本体）６，２と太陽電池３と受け部材２とからなり、外装材６，２の面板部６１，２１上に太陽電池３を一体的に備え、外装材６，２の開口部６４，２４の裏面側に受け部材４，７を配してなる構成であり、外装材は、横葺き（６）、縦葺き（２）等の公知の外装材であればよい。以下、図１の横葺き外装構造を説明するため、横葺き外装材である外装材６として説明するが、後述する縦葺き外装構造では、縦葺き外装材である外装材２として説明する。尚、長手方向に沿う縁部に成形部は、図１に示すような横葺きにおいては軒棟側縁に設けられ、図４に示すような縦葺きにおいては左右側縁に設けられる。必要に応じて長手方向にばかりでなく、短手方向に沿う縁部にも成形部を設けるようにしてもよい。
【００１４】
図１に示す実施例は、横葺き外装構造（屋根構造）であり、横葺き外装材である外装材６は、略矩形状の面板部６１と、該面板部６１の少なくとも長手方向に沿う軒棟縁部に外装材６，６同士或いは保持部材（吊子部材）と係合する成形部６２，６３を有し、太陽電池３の付帯具（端子ボックス３１やケーブル３２など）を挿通（裏面側に突出）させるための開口部６４を設け、面板部６１の表面側に太陽電池３を一体的に固定し、前記開口部６４の裏面側に左右側縁４２，４２及び水上側縁４３を立ち上げた受け部材４を配してなる。
【００１５】
図示実施例では外装材６として横葺き外装材を用いたので、面板部６１の軒端には軒側成形部６２が設けられ、面板部６１の棟端には段部６６を介して棟側成形部６３が設けられている。
軒側成形部６２は、面板部６１の軒縁を下方へ略鉛直状に折曲し、その下端を棟側へ折り返し状に延出した構成とした。
棟側成形部６３は、段部６６から棟側へ延在する端縁を表面側に折り返して軒側上方へ延在させ、その上端を緩く軒側へ下降させた構成とした。
そして、図示実施例の外装材６は、図示しないが軒側成形部６２と棟側成形部６３とが、敷設状態において係合する構成とした。
【００１６】
また、図示実施例の外装材６の面板部６１には、太陽電池３の付帯具（端子ボックス３１やケーブル３２など）を挿通させるための開口部６４が設けられ、その表面には太陽電池３を重合状に固定するための略矩形状の耐水性接着層６８が形成され、その略矩形状の内部水下側には水抜き孔６５が設けられている。開口部６４の周囲にはシーリングビード（止水材の囲い）を設けてもよい。また、水抜き孔６５は、形状や大きさについて特に限定するものではなく、浸入水や結露水が円滑に排出されればよい。耐水性接着層６８は、耐水性を有する両面テープにて形成されている。
【００１７】
また、図示実施例の外装材６は、長手方向に沿う縁部にばかりでなく、短手方向に沿う縁部、即ち左右側縁を、排水路５１を有するジョイント部材５上に臨ませ、外装材６の水抜き孔６５をジョイント部材５の排水路５１上に位置させて接続するようにした。このジョイント部材５は、図１，２に示すような横葺きにおいては軒樋方向に配される継ぎ手捨て板を指し、後述する図４に示すような縦葺きにおいては図示しないが左右方向に配される樋状部材を指す。
【００１８】
この外装材６は、ロール成形、プレス成形、押出し型成形、或いはこれらの組合せ等により成形される、代表的には概ね０.４〜１.６mm程度の溶融亜鉛メッキ鋼板やガルバリウム鋼板等の防錆処理鋼板、特殊鋼、非鉄金属、ステンレス鋼板、耐候性鋼板、銅板、アルミニウム合金板、鉛板、亜鉛板、チタニウム板などが挙げられるが、特にこれらに限定されるものではない。
【００１９】
また、この外装材６には、棟側成形部６３の面板部６１側に段部６６を形成してシール材１１を太陽電池３との間に充填した。このような段部の形成、或いは太陽電池３の縁部を保持する保持部材３０の固定などにより凹部を形成し、この凹部内に位置させるように太陽電池３を取り付けるようにしてもよいし、凹部を設けることなく配するものであってもよい。尚、凹部を形成するための内壁は、傾斜状であっても略鉛直状であってもよいが、傾斜状の方がシール材１１の充填量を削減し、充填の際の隙間（充填不良）を生じにくい。
こうして形成される凹部は、太陽電池３の配設を容易にすると共に、雨などの浸入を阻止するシール材１１を充填する際のガイド及び受け枠として機能する。
尚、前記保持部材３０は、太陽電池３が外装材６から脱離（脱落）しないように保持するものであって、少なくとも鉛直方向と長手方向を保持し、必要に応じて軒棟方向も保持すればよい。この保持部材３０は、単一部材でも複数部材でもよく、例えば矩形状の太陽電池３の短辺全部（角部も含む）を保持するものでもよいし、各角部のみを保持するものでもよい。
【００２０】
また、本発明に用いられる太陽電池３は、前記構成の外装材６の面板部６１に一体的に固定されるものであって、通常両面テープ、接着剤等で一体化されるものであり、多結晶，単結晶，アモルファス等、どのようなものを用いてもよい。一般的に太陽電池は、導電性基体、裏面反射層、光電変換部材としての半導体層、透明導電層から構成され、上記導電性基体としては、例えば鋼板、銅、チタン、アルミニウム、ステンレス、カーボンシートを用いることができ、その他にも導電層が設けられたポリエステル、ポリイミド、ポリエチレンナフタライド、エポキシ等の樹脂フィルムやセラミックス等を用いることもできる。前記半導体層は特に限定するものではなく、アモルファスシリコン半導体、多結晶シリコン半導体、結晶シリコン半導体、銅インジウムセレナイド等の化合物半導体を用いることができる。例えば近年提案された可撓性を有するアモルファスシリコン太陽電池は極めて薄肉で軽量であるため好ましい。
【００２１】
この太陽電池３は、図２に示すように付帯具として端子ボックス３１やケーブル３２が外装材６の開口部６４を挿通して裏面側に露出している。また、太陽電池３は、前記外装材６の面板部６１と同様に略矩形状に形成されるが、面板部６１よりも小さく形成され、その大きさの差を埋めるようにシール材１１を充填する。即ち太陽電池３の側縁は、シール材１１が配され、また外装材の態様に応じて保護材１２を設けてるようにしてもよい。
用いられるシール材１１は、硬化（固化）前には太陽電池３の各縁部に充填可能な流動性（フロー性）を有するものであって、硬化（固化）後には雨などの浸入を阻止する性質を有するものであって、太陽電池３や外装材６への優れた密着性などもその中に含まれるが、特にその材質を限定するものではなく、例えばシリコーンゴム、フッ素系ゴムなどを使用することができる。
【００２２】
さらに、図示実施例では太陽電池一体型外装材１の各端縁を保護するために、保護材１２が取り付けられている。この保護材１２は、それぞれ僅かに形状が異なるが、基本的形状として太陽電池３の端縁上面に固定され、シール材１１の上方を覆うと共に、外装材６の端縁に面一状に沿う構成である。用いられる保護材１２は、前記外装材６と同様の素材を用いても良いし、特に材質を限定するものではない。
【００２３】
また、本発明に用いられる受け部材４は、外装材６，２の開口部６４，２４の裏面側に配されるものであって、突出した付帯具（端子ボックス３１やケーブル３２など）を収納する空間４７，７７を確保すると共に該空間４７，７７に浸入した雨水等や該空間４７，７７にて生じた水などを排出する排水手段を備える構成を有する。
図示実施例の受け部材４は、図３に示すように少なくとも開口部６４より広い平板（底面）部４１を有し、その左右側縁及び水上側縁をそれぞれ立ち上げて、左右側縁の立ち上げ部４２，４２、水上側縁の立ち上げ部４３を形成した構成である。また、この受け部材４は、外装材６に対してどのような手段にて固定するようにしてもよく、例えば両面テープ４５等の接着手段によって外装材６の開口部６４の裏面に一体状に固定してもよいし、嵌合等の取付手段によって開口部６４の縁部に一体状に固定してもよいし、それらを併用する（図５，６参照）ようにしてもよい。この点は縦葺きの場合も同様である。
さらに、図示実施例の受け部材４は、排水手段として、平板（底面）部４１の水下側縁４６を開放状に形成し、外装材６に固定した際にこの水下側縁４６が軒側成形部６２に近接状になるようにした。また、水上側縁の立ち上げ部４３の略中央には、配線用開放部４３１を設けた。
【００２４】
図示実施例では、平板（底面）部４１は略正方形状であり、各立ち上げ部４２，４２，４６は略垂直状であるが、これらは特に限定するものではなく、例えば各立ち上がり部４２，４２，４３は傾斜状でもよい。また、各立ち上げ部４２，４２，４３の上端には、略水平状の固定部４４を延設し、この固定部４４に両面テープ４５を貼着し、この両面テープ４５にて外装材６の開口部６４の裏面に一体状に固定するようにした。
【００２５】
そして、前記構成の外装材６と太陽電池３と受け部材４とからなる太陽電池一体型外装材１を敷設する際には、通常の横葺き外装材と同様に、或いはそれらを適宜に組み合わせて敷設することができる。
但し、図示実施例の太陽電池一体型外装材１は、前述のように水抜き孔６５を設けたので、水抜き孔６５をジョイント部材５の排水路５１上に位置させて接続する。このジョイント部材５とは、横葺きにおいては短手方向（軒樋方向）に沿う端部同士を接続するための部材群の総称であり、継ぎ手捨て板５Ａや下部ジョイナー５Ｂ、カバー材５Ｃ、上部ジョイナー５Ｄを指すが、後述する図４に示すような縦葺きにおいては左右方向に配される二重樋状の複数部材を指す。
【００２６】
尚、図示実施例における継ぎ手捨て板５Ａは、左右に複数の水返し部が設けられ、左右に軒樋方向に向かう複数の排水路５１，５１を有する構成であり、施工に先立ってその上面には下部ジョイナー５Ｂが一体的に取り付けられている。この下部ジョイナー５Ｂの略中央には起立片状の係合部５２が設けられている。また、上部ジョイナー５Ｄの略中央には図示しない被係合スリットが形成された被係合部５３が設けられている。
そして、外装材６の短手方向に沿う端部の裏面側に、継ぎ手捨て板５Ａを配置し、下部ジョイナー５Ｂの起立片状の係合部５２が、上部ジョイナー５Ｄの被係合部５３の被係合スリットに挿通するように上部ジョイナー５Ｄを配設し、その状態で係合部５２を折り曲げ、その後に上部ジョイナー５Ｄにカバー材５Ｃを一体化させた。
一方、長手方向に沿う端部（軒側成形部６２及び棟側成形部６２）の接続については、図示しないが常法に準じて端部同士を、或いは吊り子等の保持部材を介して係合させて接続する。
【００２７】
そして、前記構成の外装材６と太陽電池３と受け部材４とからなる太陽電池一体型外装材１は、端子ボックス３１から浸入した雨水や空間４７にて生じた水などを電池裏面に滞留させることなく排出できる。また、受け部材４は、端子ボックス３１の裏面側を物理的に保護するので、端子ボックス３１内部の電気的機構が二重に（端子ボックス３１及び受け部材４により）保護されることとなり、例えば施工前の管理や搬送などにおいて破損することがなく、施工時においても取扱いが容易となる。
【００２８】
図示実施例では、受け部材４の水下側縁４６が開放状に形成され、水下側縁４６が軒側成形部６２に近接状であるため、敷設状態において、水下側縁４６が図示しない下段側外装材の棟側成形部６３端より水下側に位置することになる。そのため、端子ボックス３１から浸入した水や空間４７にて生じた水などを受け部材４から、水下側縁４６に流下させ、更に下段側の外装材上へ導いて排出することができる。
また、受け部材４の水上側縁の立ち上げ部４３に配線用開放部４３１を設けたので、該開放部４３１からケーブル３２を導出させることができる。
【００２９】
また、図示実施例では、水抜き孔６５を設けたので、太陽電池３の裏面にて様々な理由で発生した水を内部に滞留することなく水抜き孔６５からジョイント部材５の排水路５１へ排出することができる。この排水路５１は、横葺き外装構造の常法のとおり下段側に隣接する外装材や太陽電池一体型外装材上に連絡しているので、水は排水路５１から下段側（軒側）に導いて流下、排出することができる。
さらに、開口部６４や水抜き孔６５の存在により換気作用が果たされ、太陽電池３の裏面にて様々な理由で発生した水、浸入した水を自然蒸発させることが可能となる。
したがって、シール材１１の充填不良や経年劣化（破損など）等により止水性能が低下した場合にも、水が外装材６の裏面に回り込んで雨漏りの原因となることがない外装構造を提供することができる。
【００３０】
図４に示す実施例は、表面（外装面）が平坦な縦葺き外装構造（屋根構造）であり、太陽電池一体型外装材１’を構成する縦葺き外装材である外装材２は、略矩形状の面板部２１と、該面板部２１の少なくとも長手方向に沿う左右縁部に外装材２，２同士或いは保持部材（吊子部材）と係合する成形部２３，２３を有し、太陽電池３の付帯具（端子ボックス３１やケーブル３２など）を挿通（裏面側に突出）させるための開口部２４を設け、面板部２１の表面側に太陽電池３を一体的に固定し、前記開口部２４の裏面側に水上側縁７２及び水下側縁７３を立ち上げた横長の左右方向に沿う受け部材７を配してなる。
【００３１】
図示実施例では外装材２として縦葺き外装材を用いたので、面板部２１の左右側端には側縁成形部２２，２２が設けられている。
側縁成形部２２は、面板部２１の側縁を下方へ段状に折り下げ、さらに下方へ傾斜状に折り下げ、その下端を外方へ折り返し（折り上げ）、その途中を略Ｚ字状に折曲した形状であり、保持部材８１に弾性的に係合する構成である。
また、外装材２，２間には断面が略Ｗ字状の排水部材８２が配設され、該排水部材８２の中央隆起部８２１を跨ぐように保持部材８１が固定され、該保持部材８１に外装材２の側縁成形部２２を弾性的に係合させ、その間隔を覆うようにカバー材８３を冠着させた構成である。
【００３２】
また、図示実施例の受け部材７は、横長の平板部７１を有し、その水上側縁（７２）及び水下側縁（７３）をそれぞれ立ち上げた構成である。また、この受け部材７は、外装材２に対してどのような手段にて固定するようにしてもよく、主に立ち上げ部７２，７３の上端に形成した固定部７４を、両面テープ７５等の接着手段によって外装材２の開口部２４の裏面に一体状に固定される。
さらに、図示実施例の受け部材７は、排水手段として、開放状に形成した左右側縁７６を外装材２の側縁成形部２２に近接状になるようにし、その敷設状態において、開放状に形成されたこの左右側縁７６が、左右方向に隣接する外装材２，２間に配された排水部材８２に連絡されるようにした。
【００３３】
このような構成の太陽電池一体型外装材１’を敷設してなる図４の外装構造は、太陽電池３の裏面にて様々な理由で発生した水を内部に滞留することなく左右方向に配設された受け部材７の左右側縁７６から排水部材８２へ排出することができる。この排水部材８２は、軒棟方向（水流れ方向）に連続しているので、受け部材７内にて生じた水や受け部材７に浸入した雨水等を排水部材８２内を軒側（水下側）へ流下、排出することができる。したがって、水が外装材２の裏面に回り込んで雨漏りの原因となることがない外装構造を提供することができる。
【００３４】
尚、このような構成の太陽電池一体型外装材１’は、それのみを敷設して外装構造を施工してもよいし、図４（ｂ）に示すように屋根面の適宜部分に通常の（縦葺き）外装材９を適宜組み合わせて外装面を施工するようにしてもよい。尚、図面における９０は裏貼り材、９１はバックアップ材である。また、複数の屋根面から構成される屋根では、例えば一屋根面を太陽電池一体型外装材１’にて、別の一屋根面を横葺き外装材にて施工するようにしてもよい。
【００３５】
また、前記図１の実施例では受け部材４の固定部４４を両面テープ４５にて接着して外装材６と一体化させたが、図５，６に示す実施例では、該接着による一体化に加え、受け部材４’の平板（底）面部４１上に、先端（嵌合部４８１）が外方を向く起立片４８，４８を左右に対向するように設け、該起立片４８の先端（嵌合部４８１）が外装材６’の開口部６４（図５（ａ）では一点鎖線で示した）の縁部に弾性的に嵌合するように一体化させた。嵌合により一体化させる場合は、位置決め及び微調整が容易であるため、作業性がよく、さらには経年による劣化の懸念もない。両面テープ４５等の接着により一体化させる場合は、受け部材４の構成が簡易であり、さらに水の漏洩防止性も高い。この場合、経年による劣化を考慮すれば、その裏面側に、受け部材４の裏面を支持するバックアップ材等を配することが望ましい。この実施例のように嵌合と接着を併用した場合には、作業性がよく、経年の劣化の懸念もなく、水の漏洩防止性も高いものとなる。
上記以外の構成について、この実施例に用いた各部材及び排水手段は前記図１の実施例のものとほぼ同様であるから図面に同一部号を付して説明を省略する。尚、図１では図面の上下方向を棟軒方向としたが、図５では図面右方を棟側、左方を軒側として示したものである。
【００３６】
以上本発明を図面の実施の形態に基づいて説明したが、本発明は前記実施の形態に限定されるものではなく、特許請求の範囲に記載の構成を変更しない限りどのようにでも実施することができる。
【産業上の利用可能性】
【００３７】
クリーンエネルギーを得る手段として建築物の屋根、壁等に幅広い利用が期待される。
【図面の簡単な説明】
【００３８】
【図１】（ａ）本発明における横葺き形式の太陽電池一体型外装材（太陽電池を省略した）の一実施例の一部及びその短手方向に沿う縁部の接続部分（カバー材を省略した）を示す平面図、（ｂ）側断面図、（ｃ）正断面図である。
【図２】（ａ）図１の太陽電池一体型外装材に用いた受け部材を示す平面図、（ｂ）Ｅ方向から見た矢視図、（ｃ）Ｂ−Ｂ線における断面図、（ｄ）Ｄ方向から見た矢視図（丸で囲ったＣ部分を拡大して付記した）、（ｅ）Ａ−Ａ線における断面図、（ｆ）Ｆ方向から見た矢視図である。
【図３】（ａ）受け部材を除いた図１の太陽電池一体型外装材の全体を示す平面図、（ｂ）背面図、（ｃ）その側面図、（ｄ）縮小斜視図である。
【図４】（ａ）本発明における縦葺き形式の太陽電池一体型外装材の一実施例の一部を示す側断面図、（ｂ）その長手方向に沿う縁部の接続部分を示す断面図である。
【図５】（ａ）本発明に用いる受け部材の他の一例を示す平面図、（ｂ）その側面図、（ｃ）起立片及び嵌合部の拡大図を付記した正面図である。
【図６】（ａ）図５の受け部材を一体化させた太陽電池一体型外装材を用いた外装構造の桁行き方向における受け部材を示す正断面図、（ｂ）軒棟方向における受け部材を示す側断面図である。
【符号の説明】
【００３９】
１，１’  太陽電池一体型外装材
２  （縦葺き）外装材
２１  面板部
２２  側縁成形部
２４  開口部
３  太陽電池
３１  端子ボックス
３２  ケーブル
４，４’  受け部材
４１  平板（底面）部
４２  左右側縁の立ち上げ部
４３  水上側縁の立ち上げ部
４３１  配線用開放部
４４  固定部
４５  両面テープ
４６  水下側縁
４７  空間
４８  起立片
４８１  嵌合部
５  ジョイント部材
５Ａ  継ぎ手捨て板
５Ｂ  下部ジョイナー
５Ｃ  カバー材
５Ｄ  上部ジョイナー
５１  排水路
６，６’  （横葺き）外装材
６１  面板部
６２  軒側成形部
６３  棟側成形部
６４  開口部
６５  水抜き孔
６８  接着層
７  受け部材
７１  平板部
７２  水上側縁の立ち上げ部
７３  水下側縁の立ち上げ部
７４  固定部
７５  両面テープ
７６  左右側縁
７７  空間  
【図１】
2006016883.tif 000003
【図２】
2006016883.tif 000004
【図３】
2006016883.tif 000005
【図４】
2006016883.tif 000006
【図５】
2006016883.tif 000007
【図６】
2006016883.tif 000008